(57)【要約】【課題】  簡単な構造で、回転リングの回転方向を特定方向に規制することができる腕時計を提供する。【解決手段】  腕時計ケース１の側部にその外部から内部に貫通して設けられた回転操作可能な操作部材７に設けられた第１、第２の歯車１５、１６と、腕時計ケース１内に設けられて第２の歯車１６に弾接する弾性片２１とが、操作部材７を一方向に回転させた際に第２の歯車１６の歯部２０によって弾性片２１を弾性変形させて操作部材７を回転可能にし、操作部材７を他方向に回転させた際に弾性片２１が第２の歯車１６の歯部２０を係止して操作部材７の回転を阻止するように形成されている。従って、弾性片２１を付加するだけの簡単な構造で、回転リング６の回転方向を特定方向のみに規制することができる。【選択図】        図３
2010281670.tif 000002
【特許請求の範囲】
【請求項１】
時計モジュールを収容する腕時計ケースと、
この腕時計ケースの側部にその外部から内部に貫通して設けられた回転操作可能な操作部材と、
前記腕時計ケース内に位置する前記操作部材の内端部側に設けられて前記操作部材と共に一体的に回転する歯車と、
前記腕時計ケース内にその内周面に沿って回転可能に設けられ、且つ前記操作部材の回転操作に伴う前記歯車の回転に連動して回転する回転リングと、
前記腕時計ケース内に設けられて前記歯車の歯部に弾接する弾性片とを備え、
前記歯車と前記弾性片とは、前記操作部材が一方向に回転した際に前記歯車の前記歯部によって前記弾性片が弾性変形して前記操作部材を回転可能とし、前記操作部材が他方向に回転された際に前記弾性片が前記歯車の前記歯部を係止して前記操作部材の回転を阻止するように形成されていることを特徴とする腕時計。
【請求項２】
前記腕時計ケース内に前記時計モジュールを固定するための合成樹脂製の中枠を備え、この中枠に前記弾性片が一体に形成されていることを特徴とする請求項１に記載の腕時計。
【請求項３】
前記歯車は、前記回転リングを回転させる第１の歯車部と、前記弾性片に弾接する第２の歯車部とを備えていることを特徴とする請求項１または請求項２に記載の腕時計。
【発明の詳細な説明】
【技術分野】
【０００１】
この発明は、回転目盛板や回転見切板などの回転リングを腕時計ケース内に備えた腕時計に関する。
【背景技術】
【０００２】
従来、腕時計においては、特許文献１に記載されているように、腕時計ケース内の内周面に沿って回転可能に設けられた回転目盛板などの回転リングを備え、腕時計ケースの側部にその外部から内部に貫通する竜頭などの操作部材を回転操作可能に設けると共に、腕時計ケース内に位置する操作部材の内端部に歯車を設け、この歯車の歯部を回転リングの歯部に噛み合わせ、この状態で操作部材を回転操作させると、これに伴って歯車が回転し、この歯車の回転によって回転リングが回転するように構成されたものが知られている。
【先行技術文献】
【特許文献】
【０００３】
【特許文献１】実開平０４−６６５９７号公報
【発明の概要】
【発明が解決しようとする課題】
【０００４】
しかしながら、このような従来の腕時計では、操作部材を一方向に回転させると、これに伴って歯車が同方向に回転し、この歯車の回転によって回転リングが一方向に回転し、また操作部材を逆方向に回転させると、これに伴って歯車も逆方向に回転し、この歯車の回転によって回転リングが逆方向にも回転するため、回転リングの回転方向を特定方向のみに規制することができないという問題があった。
【０００５】
この発明が解決しようとする課題は、簡単な構造で、回転リングの回転方向を特定方向に規制することができる腕時計を提供することである。
【課題を解決するための手段】
【０００６】
この発明は、上記課題を解決するために、次のような構成要素を備えている。
請求項１に記載の発明は、時計モジュールを収容する腕時計ケースと、この腕時計ケースの側部にその外部から内部に貫通して設けられた回転操作可能な操作部材と、前記腕時計ケース内に位置する前記操作部材の内端部側に設けられて前記操作部材と共に一体的に回転する歯車と、前記腕時計ケース内にその内周面に沿って回転可能に設けられ、且つ前記操作部材の回転操作に伴う前記歯車の回転に連動して回転する回転リングと、前記腕時計ケース内に設けられて前記歯車の歯部に弾接する弾性片とを備え、前記歯車と前記弾性片とは、前記操作部材が一方向に回転した際に前記歯車の前記歯部によって前記弾性片が弾性変形して前記操作部材を回転可能とし、前記操作部材が他方向に回転された際に前記弾性片が前記歯車の前記歯部を係止して前記操作部材の回転を阻止するように形成されていることを特徴とする腕時計である。
【０００７】
請求項２に記載の発明は、前記腕時計ケース内に前記時計モジュールを固定するための合成樹脂製の中枠を備え、この中枠に前記弾性片が一体に形成されていることを特徴とする請求項１に記載の腕時計である。
【０００８】
請求項３に記載の発明は、前記歯車が、前記回転リングを回転させる第１の歯車部と、前記弾性片に弾接する第２の歯車部とを備えていることを特徴とする請求項１または請求項２に記載の腕時計である。
【発明の効果】
【０００９】
この発明によれば、操作部材を一方向に回転させた際に、歯車の歯部によって弾性片が弾性変形して操作部材を回転可能とし、また操作部材を他方向に回転させた際に、弾性片が歯車の歯部を係止して操作部材の回転を阻止することができるので、弾性片を付加するだけの簡単な構造で、回転リングの回転方向を特定方向に規制することができる。
【図面の簡単な説明】
【００１０】
【図１】この発明を適用した腕時計の一実施形態を示した要部の拡大正面図である。
【図２】図１のＡ−Ａ矢視における断面を示した一部省略した拡大斜視図である。
【図３】図１のＡ−Ａ矢視における拡大断面図である。
【図４】図３の操作部材を示した拡大斜視図である。
【図５】図４の操作部材に第１、第２の各歯車を取り付けた状態を示した拡大斜視図である。
【図６】図３のＢ−Ｂ矢視における拡大断面図である。
【図７】図３のＣ−Ｃ矢視における拡大断面図である。
【発明を実施するための形態】
【００１１】
以下、図１〜図７を参照して、この発明を適用した腕時計の一実施形態について説明する。
この腕時計は、図１〜図３に示すように、腕時計ケース１を備えている。この腕時計ケース１の上側開口部には、時計ガラス２が取り付けられており、この腕時計ケース１の下部には、裏蓋３が取り付けられている。
【００１２】
また、この腕時計ケース１の内部には、図３に示すように、時計モジュール４（図３に２点鎖線で示す）が中枠５によって固定されている。この時計モジュール４は、図示しないが、時刻などの情報を表示する表示部や、指針の運針により時刻を指示する時計ムーブメントなどの時計機能に必要な各種の部品を備えている。また、この時計モジュール４と時計ガラス２との間には、図２および図３に示すように、腕時計ケース１の内周面に沿って回転する回転目盛板や回転見切板などの回転リング６が回転可能に設けられている。
【００１３】
さらに、この腕時計ケース１における３時側の側部には、図１〜図３に示すように、操作部材７が回転操作可能に設けられている。この場合、腕時計ケース１の側部には、図２および図３に示すように、貫通孔１ａが内部と外部とに貫通して設けられており、この貫通孔１ａ内には、パイプ８が腕時計ケース１の内部と外部とに貫通した状態で固定されている。
【００１４】
操作部材７は、図２〜図４に示すように、頭部１０と軸部１１とを備え、頭部１０が腕時計ケース１の外部に位置し、軸部１１が腕時計ケース１のパイプ８内に挿入されて腕時計ケース１の内部に突出した状態で、パイプ８内に回転可能に取り付けられている。この場合、操作部材７の頭部１０は、図３に示すように、その外径がパイプ８の外径よりも十分に大きく形成されている。
【００１５】
この頭部１０の内側面つまり腕時計ケース１の外側面に対面する頭部１０の内側面（図３では左側面）には、図２〜図４に示すように、パイプ８の外端部（図３では右端部）が挿入するリング状の挿入溝１０ａが設けられている。このリング状の挿入溝１０ａ内には、図３に示すように、パイプ８の外端部が弾接して相対的に摺動する防水リング１２が設けられている。
【００１６】
また、この操作部材７の軸部１１は、図２〜図４に示すように、その外径がパイプ８の内径よりも少し小さく形成されている。この軸部１１の外周面には、パイプ８の内周面に弾接して相対的に摺動する複数の防水リング１３を取り付けるためのリング状の溝部１１ａが設けられている。また、この軸部１１における腕時計ケース１内に突出する内端部側（図４では左端部側）には、図４に示すように、角棒状の歯車取付部１４が設けられている。
【００１７】
この操作部材７の軸部１１における歯車取付部１４には、図２、図３および図５に示すように、第１の歯車１５と第２の歯車１６とがＥリングなどの抜止め部材１７によって取り付けられている。すなわち、この抜止め部材１７は、図３に示すように、軸部１１の内端部（図３では左端部）に設けられた取付溝部１１ｂに取り付けられて、第１、第２の各歯車１５、１６が軸部１１の歯車取付部１４から脱落するのを防ぐように構成されている。
【００１８】
第１の歯車１５は、図２および図３に示すように、その中心部に四角形状の軸孔１８が設けられ、この軸孔１８に操作部材７の歯車取付部１４が嵌合することにより、軸部１１の歯車取付部１４に取り付けられ、この状態で操作部材７と共に一体的に回転するように構成されている。
【００１９】
また、この第１の歯車１５は、図６および図７に示すように、その外周部に等間隔で多数の歯部１５ａが設けられ、この第１の歯車１５の上側に位置する歯部１５ａが腕時計ケース１内に設けられた回転リング６の歯部６ａに噛み合い、この状態で操作部材７の回転操作に伴って操作部材７と共に回転すると、その回転に連動して回転リング６を腕時計ケース１の内周面に沿って回転させるように構成されている。
【００２０】
この場合、回転リング６は、目盛が表示された分時間などの減算目盛機能を有する回転目盛板や、世界の各都市が表示されたワールドタイム用の回転見切板、あるいは目盛機能を有しない回転板などであり、図２および図３に示すように、腕時計ケース１内にその内周面に沿って回転可能に設けられている。また、この回転リング６の下面には、図６および図７に示すように、第１の歯車１５の上側に位置する歯部１５ａが順次噛み合う歯部６ａが回転リング６の円周に沿って等間隔で多数設けられている。
【００２１】
一方、第２の歯車１６は、第１の歯車１５と同様、その中心部に四角形状の軸孔１９が設けられ、この軸孔１９に操作部材７の歯車取付部１４が嵌合することにより、軸部１１の歯車取付部１４に取り付けられ、この状態で操作部材７と共に一体的に回転するように構成されている。この第２の歯車１６は、図５および図６に示すように、その外径が第１の歯車１５の外径よりも小さく形成され、これにより回転リング６に接触しないように構成されている。
【００２２】
この第２の歯車１６における外周部には、図５および図６に示すように、鋸歯状の歯部２０が等間隔で多数形成されている。すなわち、この鋸歯状の歯部２０は、図６において時計回り方向に位置する一方の歯面が急峻な斜面２０ａに形成され、図６において反時計回り方向に位置する他方の歯面が緩やかな斜面２０ｂに形成されている。
【００２３】
この第２の歯車１６は、その歯部２０が腕時計ケース１内に設けられた中枠５の弾性片２１に順次弾接して回転するように構成されている。この場合、中枠５は、ポリアセタール（ＰＯＭ）、ポリカーボネート（ＰＣ）、ＡＢＳ樹脂などの汎用性プラスチック、エンジニアリングプラスチック、スーパーエンジニアリングプラスチックなどの合成樹脂からなり、腕時計ケース１内に設けられ、時計モジュール４を腕時計ケース１内に固定するように構成されている。
【００２４】
この中枠５には、図２および図６に示すように、爪形状の弾性片２１が一体に形成されている。この弾性片２１は、第２の歯車１６の下側に位置して第２の歯車１６の接線方向に沿って配置され、この状態で第２の歯車１６の下側に位置する歯部２０に弾接するように構成されている。すなわち、この弾性片２１は、図６に示すように、中枠５の下部から第２の歯車１６の接線方向に沿って第２の歯車１６の下側に位置する歯部２０の間に向けて斜め上方に延び、この状態で上下方向に弾性変形するように構成されている。
【００２５】
つまり、この弾性片２１は、図６に示すように、中枠５の下部から第２の歯車１６の反時計回り方向（図６では右側）に位置する歯部２０に向けて延びていることにより、この延びた先端部２１ａが第２の歯車１６の歯部２０に左側から接近して、その歯部２０の間に挿入可能な状態で弾接するように構成されている。
【００２６】
また、この弾性片２１は、第２の歯車１６の下側に位置する歯部２０の緩やかな斜面２０ｂによって徐々に押し下げられて弾性変形した後、その歯部２０の歯先が弾性片２１の先端部２１ａから離れると、弾性片２１が弾性復帰し、その先端部２１ａが次の歯部２０との間に挿入することにより、第２の歯車１６にクリック感を付与するように構成されている。
【００２７】
これにより、この弾性片２１は、図６に示すように、操作部材７が一方向（図６では反時計回り）に回転した際に、第２の歯車１６の下側に位置する歯部２０の緩やかな斜面２０ｂによって、弾性片２１の先端部２１ａ側が徐々に押し下げられて弾性変形することにより、歯部２０が弾性片２１を順次乗り越えて、第２の歯車１６を一方向に回転させると共に、歯部２０が弾性片２１を乗り越えたときに、第２の歯車１６にクリック感を付与するように構成されている。
【００２８】
さらに、この弾性片２１は、図６に示すように、操作部材７が他方向（図６では時計回り）に回転された際に、弾性片２１の先端部２１ａが第２の歯車１６の下側に位置する歯部２０の間に弾性復帰して挿入することにより、この挿入した先端部２１ａが歯部２０の急峻な斜面２０ａに当接して歯部２０を係止し、第２の歯車１６の他方向への回転を阻止するように形成されている。
【００２９】
これにより、第２の歯車１６と弾性片２１とは、操作部材７が一方向（図６では反時計回り）に回転した際に、第２の歯車１６の歯部２０が弾性片２１を弾性変形させて順次乗り越えることにより、第２の歯車１６および操作部材７を一方向に回転可能にし、また操作部材７が他方向（図６では時計回り）に回転された際に、第２の歯車１６の歯部２０を弾性片２１が係止して第２の歯車１６および操作部材７の他方向への回転を阻止するように構成されている。
【００３０】
次に、この腕時計の作用について説明する。
まず、図２および図３に示すように、腕時計ケース１の外部に露出した操作部材７の頭部１０を、図６において一方向である反時計回りに回転させると、操作部材７の軸部１１の歯車取付部１４に取り付けられた第１、第２の各歯車１５、１６がそれぞれ操作部材７と共に回転する。
【００３１】
このときには、第２の歯車１６の下側に位置する歯部２０の緩やかな斜面２０ｂが、中枠５に一体に形成された弾性片２１の先端部２１ａ側を徐々に押し下げて、弾性片２１を下側に向けて弾性変形させる。そして、第２の歯車１６の歯部２０が弾性片２１を乗り越えると、弾性片２１が弾性復帰して弾性片２１の先端部２１ａが次の歯部２０との間に挿入する。このときに、弾性片２１が第２の歯車１６にクリック感を付与する。
【００３２】
これにより、第２の歯車１６の歯部２０が弾性片２１を順次乗り越えることにより、第１、第２の各歯車１５、１６および操作部材７がクリック感をもって回転する。このため、第１の歯車１５は、図６に示すように、操作部材７の一方向である反時計回りの回転操作に応じて同方向に回転すると、図３および図７に示すように、第１の歯車１５の上側に位置する歯部１５ａが回転リング６の歯部６ａに噛み合っているので、第１の歯車１５の回転に連動して回転リング６を腕時計ケース１の内周面に沿って一方向（図７に示す矢印Ｘ方向）に回転させる。
【００３３】
また、腕時計ケース１の外部に露出した操作部材７の頭部１０を、図６において他方向である反時計回りに回転させると、操作部材７の軸部１１の歯車取付部１４に取り付けられた第１、第２の各歯車１５、１６がそれぞれ操作部材７と共に回転しようとする。しかし、このときには、図６に示すように、第２の歯車１６の下側に位置する歯部２０の間に弾性片２１の先端部２１ａが弾性復帰して挿入しているので、この挿入した弾性片２１の先端部２１ａが歯部２０の急峻な斜面２０ａに当接して歯部２０を係止する。
【００３４】
このため、第２の歯車１６は、その他方向（時計回り）への回転が阻止されるので、第１の歯車１５および操作部材７の他方向への回転が阻止される。これにより、操作部材７は、一方向（反時計回り）に回転して、回転リング６を一方向（図７に示す矢印Ｘ方向）に回転させ、他方向（時計回り）には回転せず、回転リング６を他方向（図７に示す矢印Ｘ方向と反対方向）に回転させないため、回転リング６の回転方向を特定方向つまり一方向（図７に示す矢印Ｘ方向）のみに規制する。
【００３５】
このように、この腕時計によれば、腕時計ケース１の側部にその外部から内部に貫通して設けられた回転操作可能な操作部材７に設けられた第１、第２の歯車１５、１６と、腕時計ケース１内に設けられて第２の歯車１６に弾接する弾性片２１とが、操作部材７を一方向に回転させた際に第２の歯車１６の歯部２０によって弾性片２１を弾性変形させて操作部材７を回転可能にし、操作部材７を他方向に回転させた際に弾性片２１が第２の歯車１６の歯部２０を係止して操作部材７の回転を阻止するように形成されているので、第２の歯車１６と弾性片２１とを追加するだけの簡単な構造で、回転リング６の回転方向を特定方向に規制することができる。
【００３６】
この場合、第２の歯車１６の歯部２０は、図６において時計回り方向に位置する一方の歯面が急峻な斜面２０ａに形成され、図６において反時計回り方向に位置する他方の歯面が緩やかな斜面２０ｂに形成されており、弾性片２１は、中枠５の下部から第２の歯車１６の下側に位置する歯部２０に向けて斜め上方に延び、この延びた先端部２１ａが第２の歯車１６における一方向の回転方向である反時計回り方向から歯部２０の間に挿入可能に形成され、この状態で上下方向に弾性変形するように構成されているので、操作部材７を一方向（図６では反時計回り）に回転させた際に、クリック感をもって第２の歯車１６を操作部材７の回転に応じて回転させることができる。
【００３７】
すなわち、操作部材７を一方向（図６では反時計回り）に回転させると、第２の歯車１６の下側に位置する歯部２０の緩やかな斜面２０ｂが弾性片２１の先端部２１ａ側を徐々に押し下げて弾性変形させることができる。このため、第２の歯車１６の歯部２０は、弾性片２１を弾性変形させて順次乗り越えることができるので、第２の歯車１６が回転可能になり、これにより第１の歯車１５および操作部材７を一方向である反時計回りに回転させることができる。
【００３８】
これにより、第１の歯車１５の回転に連動させて回転リング６を腕時計ケース１の内周面に沿って一方向（図７に示す矢印Ｘ方向）に回転させることができると共に、第２の歯車１６の歯部２０が弾性片２１を弾性変形させて乗り越えた後に、弾性片２１が弾性復帰して弾性片２１の先端部２１ａが歯部２０の間に挿入するため、このときに弾性片２１によって第２の歯車１６にクリック感を付与することができる。
【００３９】
また、操作部材７を他方向（図６では時計回り）に回転させた際には、弾性片２１の先端部２１ａが第２の歯車１６の下側に位置する歯部２０の間に弾性復帰して挿入し、この挿入した弾性片２１の先端部２１ａが歯部２０の急峻な斜面２０ａに当接して歯部２０を係止することにより、第２の歯車１６の他方向への回転を阻止することができる。このため、第１の歯車１５および操作部材７の他方向への回転が阻止されるので、回転リング６の他方向（図７に示す矢印Ｘ方向と反対方向）への回転を確実に阻止することができる。
【００４０】
また、この腕時計では、腕時計ケース１内に時計モジュール４を固定するための合成樹脂製の中枠５が設けられており、この中枠５に弾性片２１が一体に形成された構成であるから、弾性片２１を付加しても、部品点数が増加することがないため、これによっても構造の簡素化を図ることができると共に、組立て作業の簡素化をも図ることができるので、生産性の向上を図ることができる。
【００４１】
さらに、この腕時計では、操作部材７に取り付けられる歯車として、回転リング６を回転させる第１の歯車１５と、弾性片２１に弾接する第２の歯車１６とを備え、これらが別々に形成されているので、第１、第２の各歯車１５、１６を個別に製作することができ、これにより第１、第２の各歯車１５、１６の製作が容易にできると共に、第１、第２の各歯車１５、１６をそれぞれ操作部材７に個別に取り付けることにより、第１の歯車１５の歯部１５ａを回転リング６の歯部６ａに確実に且つ容易に噛み合わせることができると共に、第２の歯車１６の歯部２０を弾性片２１に確実に且つ良好に弾接させることができる。
【００４２】
なお、前述した実施形態では、第２の歯車１６と弾性片２１とによって操作部材７の回転方向を、反時計回りである一方向に回転可能にし、時計回りである他方向への回転を阻止するように構成した場合について述べたが、これに限らず、操作部材７の回転方向を、時計回りである他方向に回転可能にし、反時計回りである一方向への回転を阻止するように構成しても良い。
【００４３】
この場合には、第２の歯車１６を表裏反転させて操作部材７に取り付けることにより、図６において時計回り方向に位置する歯部２０の一方の歯面を緩やかな斜面２０ｂにし、図６において反時計回り方向に位置する他方の歯面を急峻な斜面２０ａにすれば良い。また、弾性片２１はその左右方向の向きを逆向き、つまり図６において右側から左側に向けて延びるように形成すれば良い。このようにすれば、操作部材７の回転方向を、時計回りである他方向に回転可能にし、反時計回りである一方向への回転を阻止することができる。
【００４４】
また、前述した実施形態では、回転リング６を回転させる第１の歯車１５と、弾性片２１に弾接する第２の歯車１６とを別々に形成した場合について述べたが、これに限らず、第１、第２の各歯車１５、１６を一体に形成しても良い。このように構成すれば、弾性片２１のみを追加するだけで良いので、前述した実施形態よりも、更に部品点数を削減することができ、より一層、組立て作業の簡素化を図ることができる。
【００４５】
また、前述した実施形態では、操作部材７に取り付けられる歯車として、回転リング６を回転させる第１の歯車１５と、弾性片２１に弾接する第２の歯車１６とを備えた構成である場合について述べたが、必ずしも第１、第２の各歯車１５、１６を備えている必要はなく、１つの歯車で構成しても良い。
【００４６】
この場合には、１つの歯車の歯部、例えば歯車の上側に位置する歯部を回転リング６の歯部６ａに噛み合わせ、他の歯部、例えば歯車の下側に位置する歯部を弾性片２１に弾性させるように構成すれば良い。この場合にも、弾性片２１は、歯車の接線方向に配置され、斜め下側から歯部間に挿入するように傾斜させた状態で設けることにより、歯車が一方向に回転する際に歯部の歯先によって押し下げられて弾性変形し、他方向に回転する際に歯部の歯面に当接して歯車の回転を阻止するように構成すれば良い。
【００４７】
さらに、前述した実施形態では、腕時計ケース１内に時計モジュール４を固定するための中枠５を合成樹脂で形成した場合について述べたが、必ずしも合成樹脂である必要はなく、金属で形成しても良い。この場合には、弾性片２１を金属製の板ばねとして形成すれば良い。
【００４８】
なおまた、前述した実施形態では、腕時計ケース１の３時側に位置する側部に操作部材７を設けた場合について述べたが、これに限らず、例えば２時側、４時側、８時側、９時側、１０時側などのいずかの箇所に操作部材７を設けた構成でも良い。
【符号の説明】
【００４９】
１  腕時計ケース
１ａ  貫通孔
４  時計モジュール
５  中枠
６  回転リング
６ａ  回転リングの歯部
７  操作部材
１０  頭部
１１  軸部
１４  歯車取付部
１５  第１の歯車
１５ａ  第１の歯車の歯部
１６  第２の歯車
１８  第１の歯車の軸孔
１９  第２の歯車の軸孔
２０  第２の歯車の歯部
２０ａ  歯部の急峻な斜面
２０ｂ  歯部の緩やかな斜面
２１  弾性片
２１ａ  弾性片の先端部
【図１】
2010281670.tif 000003
【図２】
2010281670.tif 000004
【図３】
2010281670.tif 000005
【図４】
2010281670.tif 000006
【図５】
2010281670.tif 000007
【図６】
2010281670.tif 000008
【図７】
2010281670.tif 000009